(57)【要約】　　　（修正有）【課題】使い勝手が良好であるうえに、セキュリティーの高い紙幣払出機を提供する。【解決手段】紙幣用ホッパーカセット３ｃと、このホッパーカセットを挿脱自在に挿入させ装着せしめる１以上のカセット挿入部６ｃ、このカセット挿入部内にホッパーカセットが挿入され装着されたときに、その挿入力によりカセットシャッター開閉機構に作動してカセットシャッターおよび排紙口を開扉させ、この排紙口が開口したときに、この排紙口を臨む位置に移動して紙幣収容部内の紙幣を排紙口から繰り出し搬送路に搬送させる紙幣繰出し機構２２を有し、カセット挿入部毎に配設される紙幣繰出し部７ｃ、この繰出し部の紙幣搬送路に連通して紙幣を搬送する紙幣搬送路３１、この紙幣搬送路から搬送された紙幣を受ける払出ポケット３５およびこの払出ポケットに連通する一方、外部に開口する紙幣払出口５ａを有する払出部５を備えた紙幣払出機本体２と、を具備している。【選択図】　図３
2004038493.tif 000002
【特許請求の範囲】
【請求項１】
開閉自在の開閉蓋から紙幣を出入し得る紙幣収容部およびこの紙幣収容部に収容されている紙幣を排出する排紙口をシャッターにより開閉自在に閉じる常閉のカセットシャッター開閉機構および上記紙幣収容部内の紙幣を上記排紙口側へ常時付勢する紙幣押えを備えたホッパーカセットと、
このホッパーカセットを挿脱自在に挿入させ装着せしめる１以上のカセット挿入部、このカセット挿入部内に上記ホッパーカセットが挿入され装着されたときに、その挿入反力により上記カセットシャッター開閉機構に作動して上記カセットシャッターを開扉させ、上記排紙口を開口させるカセットシャッター開閉機構作動部材、この排紙口が開口したときに、この排紙口を臨む位置に位置して紙幣収容部内の紙幣を排紙口から繰り出し搬送路に搬送させる紙幣繰出し機構を有し、上記カセット挿入部毎に配設される繰出し部、この繰出し部の紙幣搬送路に連通して紙幣を搬送する紙幣搬送路、この紙幣搬送路から搬送された紙幣を受ける払出ポケットおよびこの払出ポケットに連通する一方、外部に開口する紙幣払出口を有する払出部を備えた本体と、
を具備していることを特徴とする紙幣払出機。
【請求項２】
上記本体の繰出し部は、複数の上記カセット挿入部に応じて複数併設され、相互に隣り合う上記紙幣繰出し搬送路同士を連動自在に連結させて紙幣を払出部側へ順次搬送させる連結搬送路、
をそれぞれ具備していることを特徴とする請求項１記載の紙幣払出機。
【請求項３】
上記紙幣搬送路に、所定の基準に適合しないエラー紙幣を検出する繰出センサ、
を配設していることを特徴とする請求項１または２項記載の紙幣払出機。
【請求項４】
上記紙幣搬送路に、複数枚の紙幣の重送と枚数を検出する計数センサ、
を配設していることを特徴とする請求項１〜３のいずれか１項記載の紙幣払出機。
【請求項５】
上記ホッパーカセットが上記カセット挿入部内の所定位置に挿入された状態を検出するカセット挿入センサ、
を具備していることを特徴とする請求項１〜４のいずれか１項記載の紙幣払出機。
【請求項６】
上記紙幣搬送路を駆動する搬送モータと、
この搬送モータの回転角を検出する搬送モータ制御センサと、
この搬送モータ制御センサにより検出された回転角に基づいて上記搬送モータの駆動を制御する制御装置と、
を具備していることを特徴とする請求項１〜５のいずれか１項記載の紙幣払出機。
【請求項７】
上記本体の紙幣繰出し機構は、上記紙幣収容部の排紙口からの紙幣を繰り出す繰出しドラムと、外周面をこの繰出しドラムの外周面に近接させて配置されるストップローラおよび上記繰出しドラムに回転自在に外接する従動ローラとをユニットに構成し、上記ホッパーカセットが上記カセット挿入部内に挿入装着されたときに、このホッパーカセットの上記排紙口の紙幣繰出し位置に上記繰出しドラムの繰出し位置が位置するように上記ユニットを配置させて紙幣を短手方向に繰り出すように構成されていることを特徴とする請求項１〜６のいずれか１項記載の紙幣払出機。
【請求項８】
上記本体の払出部は、
上記繰出センサにより検出されたエラー紙幣を上記紙幣搬送路から回収通路側に振り分けるゲートフラッパーと、
このゲートフラッパーにより振り分けられたエラー紙幣を上記回収通路側から受ける外部に開口するリジェクトポケットと、
このリジェクトポケット内にその上記外部開口から挿脱自在に挿入されてエラー紙幣を受けて収容するリジェクトカセットと、
を有することを特徴とする請求項１〜７のいずれか１項記載の紙幣払出機。
【請求項９】
上記リジェクトカセットが上記リジェクトポケット内の所定位置に挿入された状態を検出するリジェクトカセット挿入検出センサ、
を具備していることを特徴とする請求項８記載の紙幣払出機。
【請求項１０】
上記リジェクトカセット内の紙幣の有無を検出する残留紙幣検出センサ、
を具備していることを特徴とする請求項８または９記載の紙幣払出機。
【請求項１１】
上記本体の払出部は、その紙幣払出口側とは反対側の背面を開口自在に構成する一方、この背面より内方にある上記紙幣搬送路の一部片側を構成する紙幣搬送機構を、その一端部を上記背面開口から外部に引き出して傾動し得るように構成していることを特徴とする請求項１〜１０のいずれか１項記載の紙幣払出機。
【請求項１２】
上記本体のゲートフラップは、このゲートフラップへ紙幣を搬送する搬送路の一部から離れた位置に移動し得るように構成されていることを特徴とする請求項１〜１１のいずれか１項記載の紙幣払出機。
【請求項１３】
上記本体の払出部は、上記紙幣払出口をシャッターにより開閉する紙幣払出口開閉機構を、
備えていることを特徴とする請求項１〜１２のいずれか１項記載の紙幣払出機。
【請求項１４】
上記本体の払出部は、上記払出ポケット内の紙幣を検出する紙幣検出センサを、備えていることを特徴とする請求項１〜１３のいずれか１項記載の紙幣払出機。
【請求項１５】
上記カセットシャッター機構は、上記本体のカセット挿入部から上記ホッパーカセットが外部から取り出される際に、上記ホッパーカセットの排紙口で残留する紙幣を上記紙幣収納部に押し戻すように上記カセットシャッターが動作するように構成されていることを特徴とする請求項１〜１４のいずれか１項記載の紙幣払出機。
【請求項１６】
上記カセットシャッター機構は、上記シャッターにより排紙口を閉扉したときに、このシャッターをロックする一方、このロックを上記カセットシャッター開閉機構作動部材の作動により解除させるロック機構を、具備していることを特徴とする請求項１〜１５のいずれか１項に記載の紙幣払出機。
【請求項１７】
上記ホッパーカセットは、上記開閉蓋を施錠するロック機構を、備えていることを特徴とする請求項１〜１６のいずれか１項に記載の紙幣払出機。
【請求項１８】
上記ホッパーカセットは、上記カセット挿入部内に挿入されるカセットケース本体に把手を回動自在に設ける一方、このカセットケース本体が上記カセット挿入部内の所定位置に挿入されたときに、このカセットケース本体の係止部にカセット挿入部の被係止部に係止させてこのカセット挿入部からのカセットケース本体の引抜きを防止するロック機構を設け、
このロック機構は、上記把手の回動角に応じて施錠または解錠させるように構成されていることを特徴とする請求項１〜１７のいずれか１項記載の紙幣払出機。
【請求項１９】
上記払出部は、上記カセット挿入部の上方または下方に配設されていることを特徴とする請求項１〜１８のいずれか１項記載の紙幣払出機。
【請求項２０】
紙幣払出機本体のカセット挿入部内に挿脱自在に挿入されるカセットケース本体と、
このカセットケース本体内にて形成され紙幣を出入自在に収容する紙幣収容部と、
この紙幣収容部内に収容されている紙幣をその排紙口側へ常時付勢する紙幣押えと、
上記カセットケース本体内に配設されて上記紙幣収容部の紙幣を排出する排紙口をシャッターにより開閉自在に閉じる一方、上記カセットケース本体を上記カセット挿入部内に挿入した際の反力により作動するカセットシャッター開閉機構作動部材により上記排紙口を開扉させるように上記シャッターを駆動するカセットシャッター開閉機構と、
を具備していることを特徴とするホッパーカセット。
【請求項２１】
上記カセットケース本体の寸法が高さ１４０ｍｍ以下、横２４０ｍｍ以下、奥行１４０ｍｍ以下であることを特徴とする請求項２０記載のホッパーカセット。
【発明の詳細な説明】
【０００１】
【発明の属する技術分野】
本発明は現金自動支払機（ＣＤ）や両替機、自動販売機等の主機に組み込まれる紙幣払出機に係り、特に、払出用の紙幣を収容する紙幣収容部等をカセット化した紙幣払出機に関する。
【０００２】
【従来の技術】
従来、この種の紙幣払出機の一例としては、１金種の払出用の紙幣を収容する紙幣収容部を払出機本体に一体に組み付けているものがある。
【０００３】
【発明が解決しようとする課題】
しかしながら、このような従来の紙幣払出機では、払出用の紙幣が１金種であるので、ユーザにとって使い勝手が悪いという課題がある。例えば払出用の紙幣が千円札の１金種である場合には、１万円分を払出する場合には千円札を１０枚払い出すことで済むが、１０万円を払出する場合には千円札を１００枚払出す必要があり、その払出に時間がかかる上に、払出用紙幣の収容部の大形化が必要になる。
【０００４】
そこで、今度は払出用紙幣を仮に１万円札の１金種とすれば、１０万円の払出に対しては１万円札を１０枚払い出せばよいが、今度は１万円札以下の払出を行なうことができないという不都合が発生する。
【０００５】
また、払出用紙幣の収容部を紙幣払出機本体に一体に組み付けているので、その収容部に払出用紙幣を補充する場合等では、紙幣払出機本体が組み込まれているＣＤ等主機が設置されている場所まで現金を運搬し、補充する必要がある。しかし、このＣＤ等主機の設置場所は一般にユーザ等多数の耳目を集め易い場所であることが多く、セキュリティーが必ずしも高くないという課題がある。
【０００６】
本発明はこのような事情を考慮してなされたもので、その目的は、使い勝手が良好であるうえに、セキュリティーの高い紙幣払出機を提供することにある。
【０００７】
【課題を解決するための手段】
本願請求項１に係る発明は、開閉自在の開閉蓋から紙幣を出入し得る紙幣収容部およびこの紙幣収容部に収容されている紙幣を排出する排紙口をシャッターにより開閉自在に閉じる常閉のカセットシャッター開閉機構および上記紙幣収容部内の紙幣を上記排紙口側へ常時付勢する紙幣押えを備えたホッパーカセットと、このホッパーカセットを挿脱自在に挿入させ装着せしめる１以上のカセット挿入部、このカセット挿入部内に上記ホッパーカセットが挿入され装着されたときに、その挿入反力により上記カセットシャッター開閉機構に作動して上記カセットシャッターを開扉させ、上記排紙口を開口させるカセットシャッター開閉機構作動部材、この排紙口が開口したときに、この排紙口を臨む位置に位置して紙幣収容部内の紙幣を排紙口から繰り出し搬送路に搬送させる紙幣繰出し機構を有し、上記カセット挿入部毎に配設される繰出し部、この繰出し部の紙幣搬送路に連通して紙幣を搬送する紙幣搬送路、この紙幣搬送路から搬送された紙幣を受ける払出ポケットおよびこの払出ポケットに連通する一方、外部に開口する紙幣払出口を有する払出部を備えた本体と、を具備していることを特徴とする紙幣払出機である。
【０００８】
請求項２に係る発明は、上記本体の繰出し部は、複数の上記カセット挿入部に応じて複数併設され、相互に隣り合う上記紙幣繰出し搬送路同士を連動自在に連結させて紙幣を払出部側へ順次搬送させる連結搬送路、をそれぞれ具備していることを特徴とする請求項１記載の紙幣払出機である。
【０００９】
請求項３に係る発明は、上記紙幣搬送路に、所定の基準に適合しないエラー紙幣を検出する繰出センサを配設していることを特徴とする請求項１または２項記載の紙幣払出機である。
【００１０】
請求項４に係る発明は、上記紙幣搬送路に、複数枚の紙幣の重送と枚数を検出する計数センサを配設していることを特徴とする請求項１〜３のいずれか１項記載の紙幣払出機である。ここで重送とは複数枚の紙幣が重なって搬送される状態をいう。
【００１１】
請求項５に係る発明は、上記ホッパーカセットが上記カセット挿入部内の所定位置に挿入された状態を検出するカセット挿入センサ、を具備していることを特徴とする請求項１〜４のいずれか１項記載の紙幣払出機である。
【００１２】
請求項６に係る発明は、上記紙幣搬送路を駆動する搬送モータと、この搬送モータの回転角を検出する搬送モータ制御センサと、この搬送モータ制御センサにより検出された回転角に基づいて上記搬送モータの駆動を制御する制御装置と、を具備していることを特徴とする請求項１〜５のいずれか１項記載の紙幣払出機である。
【００１３】
請求項７に係る発明は、上記本体の紙幣繰出し機構は、上記紙幣収容部の排紙口からの紙幣を繰り出す繰出しドラムと、外周面をこの繰出しドラムの外周面に近接させて配置されるストップローラおよび上記繰出しドラムに回転自在に外接する従動ローラとをユニットに構成し、上記ホッパーカセットが上記カセット挿入部内に挿入装着されたときに、このホッパーカセットの上記排紙口の紙幣繰出し位置に上記繰出しドラムの繰出し位置が位置するように上記ユニットを配置させて紙幣を短手方向に繰り出すように構成されていることを特徴とする請求項１〜６のいずれか１項記載の紙幣払出機である。
【００１４】
請求項８に係る発明は、上記本体の払出部は、上記繰出センサにより検出されたエラー紙幣を上記紙幣搬送路から回収通路側に振り分けるゲートフラッパーと、このゲートフラッパーにより振り分けられたエラー紙幣を上記回収通路側から受ける外部に開口するリジェクトポケットと、このリジェクトポケット内にその上記外部開口から挿脱自在に挿入されてエラー紙幣を受けて収容するリジェクトカセットと、を有することを特徴とする請求項１〜７のいずれか１項記載の紙幣払出機である。
【００１５】
請求項９に係る発明は、上記リジェクトカセットが上記リジェクトポケット内の所定位置に挿入された状態を検出するリジェクトカセット挿入検出センサ、を具備していることを特徴とする請求項８記載の紙幣払出機である。
【００１６】
請求項１０に係る発明は、上記リジェクトカセット内の紙幣の有無を検出する残留紙幣検出センサ、を具備していることを特徴とする請求項８または９記載の紙幣払出機である。
【００１７】
請求項１１に係る発明は、上記本体の払出部は、その紙幣払出口側とは反対側の背面を開口自在に構成する一方、この背面より内方にある上記紙幣搬送路の一部片側を構成する紙幣搬送機構を、その一端部を上記背面開口から外部に引き出して傾動し得るように構成していることを特徴とする請求項１〜１０のいずれか１項記載の紙幣払出機である。
【００１８】
請求項１２に係る発明は、上記本体のゲートフラップは、このゲートフラップへ紙幣を搬送する搬送路の一部から離れた位置に移動し得るように構成されていることを特徴とする請求項１〜１１のいずれか１項記載の紙幣払出機である。
【００１９】
請求項１３に係る発明は、上記本体の払出部は、上記紙幣払出口をシャッターにより開閉する紙幣払出口開閉機構を、備えていることを特徴とする請求項１〜１２のいずれか１項記載の紙幣払出機である。
【００２０】
請求項１４に係る発明は、上記本体の払出部は、上記払出ポケット内の紙幣を検出する紙幣検出センサを、備えていることを特徴とする請求項１〜１３のいずれか１項記載の紙幣払出機である。
【００２１】
請求項１５に係る発明は、上記カセットシャッター機構は、上記本体のカセット挿入部から上記ホッパーカセットが外部から取り出される際に、上記ホッパーカセットの排紙口で残留する紙幣を上記紙幣収納部に押し戻すように上記カセットシャッターが動作するように構成されていることを特徴とする請求項１〜１４のいずれか１項記載の紙幣払出機である。
【００２２】
請求項１６に係る発明は、上記カセットシャッター機構は、上記シャッターにより排紙口を閉扉したときに、このシャッターをロックする一方、このロックを上記カセットシャッター開閉機構作動部材の作動により解除させるロック機構を、具備していることを特徴とする請求項１〜１５のいずれか１項に記載の紙幣払出機である。
【００２３】
請求項１７に係る発明は、上記ホッパーカセットは、上記開閉蓋を施錠するロック機構を、備えていることを特徴とする請求項１〜１６のいずれか１項に記載の紙幣払出機である。
【００２４】
請求項１８に係る発明は、上記ホッパーカセットは、上記カセット挿入部内に挿入されるカセットケース本体に把手を回動自在に設ける一方、このカセットケース本体が上記カセット挿入部内の所定位置に挿入されたときに、このカセットケース本体の係止部にカセット挿入部の被係止部に係止させてこのカセット挿入部からのカセットケース本体の引抜きを防止するロック機構を設け、このロック機構は、上記把手の回動角に応じて施錠または解錠させるように構成されていることを特徴とする請求項１〜１７のいずれか１項記載の紙幣払出機である。
【００２５】
請求項１９に係る発明は、上記払出部は、上記カセット挿入部の上方または下方に配設されていることを特徴とする請求項１〜１８のいずれか１項記載の紙幣払出機である。
【００２６】
請求項２０に係る発明は、紙幣払出機本体のカセット挿入部内に挿脱自在に挿入されるカセットケース本体と、このカセットケース本体内にて形成され紙幣を出入自在に収容する紙幣収容部と、この紙幣収容部内に収容されている紙幣をその排紙口側へ常時付勢する紙幣押えと、上記カセットケース本体内に配設されて上記紙幣収容部の紙幣を排出する排紙口をシャッターにより開閉自在に閉じる一方、上記カセットケース本体を上記カセット挿入部内に挿入した際の反力により作動するカセットシャッター開閉機構作動部材により上記排紙口を開扉させるように上記シャッターを駆動するカセットシャッター開閉機構と、を具備していることを特徴とするホッパーカセットである。
【００２７】
請求項２１に係る発明は、上記カセットケース本体の寸法が高さ１４０ｍｍ以下、横２４０ｍｍ以下、奥行１４０ｍｍ以下であることを特徴とする請求項２０記載のホッパーカセットである。
【００２８】
【発明の実施の形態】
以下、本発明の実施形態を図１〜図８に基づいて説明する。
【００２９】
図１は本発明の第１の実施形態に係る紙幣払出機１の全体構成の外観を示す正面図、図２は、その側面図である。この紙幣払出機１は図示しない現金自動払出機や両替機、自動販売機、ゲーム機、現金自動預払機（ＡＴＭ）等、紙幣の払出機能を必要とする主機に組み込まれるものであり、図１，図２に示すように紙幣払出機本体２と、横長角筒状の１台以上、例えば３台のホッパーカセット３ａ〜３ｃとを具備している。
【００３０】
紙幣払出機本体２は金属製等の縦長角筒状の本体ケース４に、その図１，２中下端部において払出部５を一体に配設する一方、払出部５の上方にて３金種（例えば千円札、５千円札、１万円札）用の上、中、下段３台のホッパーカセット３ａ，３ｂ，３ｃをそれぞれ挿脱自在に挿入せしめるカセット挿入部６ａ，６ｂ，６ｃを上下方向にそれぞれ所定のピッチで１列で配設している。また、各ホッパーカセット３ａ〜３ｃの各カセット挿入部６ａ〜６ｃの背面側には繰出部７ａ，７ｂ，７ｃをそれぞれ配設している。本体ケース４の寸法については、高さ６００ｍｍ、幅２５０ｍｍ、奥行２３０ｍｍである。但し、２金種用と１金種用の本体ケース４の高さはカセット挿入部６ａ〜６ｃがそれぞれ２段、１段と減少するので、高さも４６０ｍｍ、３３０ｍｍと低くなる。
【００３１】
各カセット挿入部６ａ〜６ｃは本体ケース４の前面に各ホッパーカセット３ａ〜３ｃを出入させる開口８をそれぞれ形成している。カセット挿入部６ａ〜６ｃの一側壁の内面には、その内方へ突出する例えば２個一対の誤挿入防止用ブロック９ａ，９ｂをそれぞれ突設している。
【００３２】
各対の誤挿入防止用ブロック９ａ，９ｂは各挿入部６ａ〜６ｃの外側面からねじ止めにより結合され、そのねじ止め孔を例えば３金種のホッパーカセット３ａ〜３ｃ毎に変更し得る位置に穿設している。一方、各ホッパーカセット３ａ〜３ｃの一外側面には、誤挿入防止用ブロック９ａ，９ｂと衝当しない位置において、各誤挿入防止用だぼ１０をそれぞれ突設し、これら誤挿入防止用だぼ１０をホッパーカセット３ａ〜３ｃの３金種に対応して例えば３箇所異なる位置にてねじ止めするためのねじ孔を形成している。
【００３３】
すなわち、図１に示すように誤挿入防止用だぼ１０は、図中最上段の挿入部６内に挿入される上段のホッパーカセット３ａの側面には、これらホッパーカセット３ａ〜３ｃの中で図１中最も高い位置に設ける一方、これより下の中段、下段の各ホッパーカセット３ｂ，３ｃの各側面には、所定ピッチで順次低くなる位置に設け、所定金種のカセット挿入部６ａ〜６ｃ内に、その所定金種以外のホッパーカセット３ａ〜３ｃが挿入されたときに、誤挿入防止用だぼ１０が誤挿入防止用ブロック１０ａ，１０ｂに衝当ないし干渉して挿入されないようになっている。
【００３４】
図１，図２に示すように払出部５は、その前面のほぼ全面を開口し、その下部に払出口５ａを形成する一方、その上部にリジェクト出口５ｂを形成し、これら出口５ａ，５ｂを払出シャッター１１により開閉し得るようになっている。
【００３５】
図３はこの払出部５と、その直上の下段カセット挿入部６ｃ内に挿入されている状態の下段のホッパーカセット３ｃと、その図中右側方（後方）にある下段の繰出部７ｃとを側面から見たときの構成を示す構成図である。
【００３６】
各ホッパーカセット３ａ〜３ｃは、有蓋有底角筒状のカセットケース本体１２の図１中左右両側壁１２ｂ，１２ｃの外面に、ピン状のガイドピン１２ｄをそれぞれ突設する一方、これらガイドピン１２ｄをそれぞれ摺動自在に嵌合させる左右一対のガイドレール４ａを各挿入部６ａ〜６ｃの一対の側壁内面にそれぞれ敷設し、これらガイドピン１２ｄを各ガイドレールに嵌合させ、これらガイドレール４ａ上を摺動させて挿入部６ａ〜６ｃ内に挿入されるようになっている。カセットケース本体１２は例えば金属製またはプラスチック等により形成され、例えば図１で示す正面形状における幅方向が２４０ｍｍ、高さが１４０ｍｍ、図２で示す奥行が１４０ｍｍである。但し、これら寸法は適宜変更してもよい。
【００３７】
また、各ホッパーカセット３ａ〜３ｃはカセット本体１２の図３中、上部開口端の後端部（図３では右端部）に、開閉蓋である上蓋１３をヒンジピン１３ａにより開閉自在に取り付け、この上蓋１３を小型シリンダ錠１４により施錠し得るようになっている。
【００３８】
すなわち、各ホッパーカセット３ａ〜３ｃは、その前面上部に小型シリンダ錠１４を取り付け、このシリンダ錠１４のキー１４ａの所定方向への回動によりホッパーカセット３ａ〜３ｃの内方で回動する倒立Ｌ字状の錠ドグ１４ｂをほぼＬ字状の上蓋ドグ１３ｂに係脱自在に係止させて施錠させ、キー１４ａをその逆方向に回動させて上蓋ドグ１３ｂと錠ドグ１４ｂとの係止状態を解除させることにより解錠するようになっている。
【００３９】
図５で示すように上蓋ドグ１３ｂは上蓋１３の前端部（図３では左端部）内面にて、垂直方向下方へ垂下するように固着され、Ｌ字状屈曲部の一側面に矩形平板状のストッパ１３ｃを一体に形成し、このストッパ１３ｃの反対側開口から錠ドグ１４ｂの鉤状先端部が進入してストッパ１３ｃに当接することにより錠ドグ１４ｂが上蓋ドグ１３ａに係止して施錠するようになっている。
【００４０】
各ホッパーカセット３ａ〜３ｃは、その内部に、本体底部１２ａよりも若干上方にて紙幣収容部１５の底部１５ａを張設しており、紙幣収容部１５内には複数枚の紙幣１６を横置きで起立させた状態、すなわち紙幣１６の長手方向が図３の紙面の表裏方向に一致し、かつ紙幣１６の短手方向が図３中垂直方向（上下方向）に一致するように収容し、厚さ方向に積層するように並べて収容している。これら紙幣列の前面（図３では左端面）には、紙幣１６を常時後方へ付勢し弾性的に押える紙幣押え１７を配設している。紙幣押え１７は後述するように紙幣収容部１５の底部１５ａ上を後方へ摺動し得るように構成され、この紙幣押え１７を図３中Ｕ字状に折曲されたコイルばねにより常時後方側（図３中右方）へ付勢することにより紙幣列を後方へ常時押えている。なお、図１中符号１８ａ，１８ｂは紙幣払出機１を図示しない両替機等本体装置にねじ止め等により取り付けるための左右一対の取付耳である。
【００４１】
また、本体ケース４の各カセット収納部６ａ，６ｂ，６ｃの左右の外面壁あるいは内面壁には、紙幣ニアエンドセンサ１９を設けている。この紙幣ニアエンドセンサ１９は透光型センサであり、紙幣収容部１５の紙幣１６の配列後半部にて、この紙幣１６の配列方向に直交する方向に沿って発光ダイオード等の発光素子と、この発光を受光する受光素子とを対向配置し、ホッパーカセット３ａ，３ｂ，３ｃの紙幣収容部１５内に収容されている紙幣１６の残量が所定枚数（例えば５０枚）に達したときには、これまで紙幣１６の残量が十分にあるときには、これら紙幣１６の列により遮光されていた発光素子からの発光を受光素子により受光することにより、紙幣１６の所定枚数が所定枚数の残量に達したことを検出し、その検出信号を図２で示す制御装置Ｃに与えるものである。
【００４２】
さらに、各ホッパーカセット３ａ〜３ｃは紙幣収容部１５の底部１５ａの下方に、カセットシャッター開閉機構２０を図３中両端矢印線で示す各ホッパーカセット３ａ〜３ｃの挿脱方向に往復動自在に収容するシャッター収容室２１を形成している。
【００４３】
このシャッター収容室２１の背面側、すなわち、紙幣収容室１５の背面側の底部１５ａには、紙幣１６をシャッター収容室２１側へ排出する排紙口１５ｂを穿設している。
【００４４】
この排紙口１５ｂの下方には、排紙口１５ｂから排出される紙幣１６を繰り出す紙幣繰出し機構２２をそれぞれ配設している。各紙幣繰出し機構２２は、繰出ドラム２２ａ、この繰出ドラム２２ａを駆動するパルスモータ２２ｂ、この繰出ドラム２２ａの外周面に近接させて配置され、紙幣繰出方向には回転せずにその逆方向に回転自在の複数のストップローラ２２ｃおよび回転自在の複数の従動ローラ２２ｄとを備えている。これら繰出ドラム２２ａ、ストップローラ２２ｃおよび従動ローラ２２ｄとを図示しないフレーム等によりユニット化し、このユニットを、排紙口１５ｂの下方位置、すなわち、図３で示す繰出位置に配置し、パルスモータ２２ｂの回転軸に巻回した駆動ベルト２２ｅを介して繰出ドラム２２ａを駆動するように構成している。
【００４５】
繰出ドラム２２ａは、少なくともその外周面をゴム等の摩擦力が比較的大きい素材により形成し、その軸方向長さは紙幣１６の長手方向の長さよりも短い寸法で形成されている。
【００４６】
ストップローラ２２ｃと従動ローラ２２ｄはその軸方向長さが繰出ドラム２２ａの軸長よりも充分に短かくなるように形成され、これらの複数個を繰出ドラム２２ａの軸方向に所定の間隔を置いて配置しており、ストップローラ２２ｃの外周面を繰出ドラム２２ａの外周面の摩擦力よりも小さい摩擦面に形成することにより紙幣１６を２枚重ね等の重送で繰り出さずに、１枚ずつ繰り出すように構成されている。
【００４７】
すなわち、繰出ドラム２２ａはストップローラ２２ｃの外周面と対向する部分にてストップローラ２２ｃの軸方向長さよりも若干長い幅の溝をそれぞれ形成し、これら溝の外周面にストップローラ２２ｃの外周面を近接させ、直接接触させていない。
【００４８】
したがって、仮に２枚重ね等の重送状態で紙幣１６が排紙口１５ｂから排出された場合、繰出ドラム２２ａの外周面側に接触した紙幣１６は、繰出ドラム２２ａの大きい摩擦力により繰り出されるが、その途中で紙幣１６が回転しないストップローラ２２ｃの外周面に接触する。ここで例えば紙幣１６が２枚重ねの場合には、これら紙幣１６同士の摩擦抵抗が最小である一方、繰出ドラム２２ａの摩擦抵抗が最大であり、ストップローラ２２ｃの摩擦抵抗がその中間であるので、繰出ドラム２２ａの外周面に接面している紙幣１６のみが最大の摩擦力により繰り出される一方、ストップローラ２２ｃの外周面に接面されている紙幣１６の繰出しが停止される。そして、繰出ドラム２２ａの外周面に接面している紙幣１６がこの繰出ドラム２２ａにより繰り出された後、ストップローラ２２ｃにより繰出しが停止されていた紙幣１６は、順に繰出ドラム２２ａの外周面上に接面し、その摩擦力により回転されて繰出搬送路２３へ繰り出される。すなわち、重送紙幣１６の繰出しを防止することができる。
【００４９】
各繰出搬送路２３はその図３中右端部の終端部２３ｅを図３中下方の払出部５側へ向けて下方へ湾曲し、各繰出部７ａ〜７ｃの底部に繰出口２３ａ〜２３ｃとしてそれぞれ開口させている。
【００５０】
そして、各繰出搬送路２３の途中には、所定の基準に適合しないエラー紙幣１６ａを検出する繰出センサ２４を配設している。この繰出センサ２４は紙幣１６の長手方向（図３の紙面の表裏方向）両側部にて左右一対の反射型光センサをそれぞれ配設することにより紙幣１６の両側部をそれぞれ検出するように構成されており、これら光センサにより検出された左右一対の検出信号を上記制御装置Ｃに与える。制御装置Ｃは、これら左右一対の両反射光センサからの検出信号の出力同士の時間差に基づく紙幣１６の搬送始端の検出時の時間のずれから紙幣１６の斜行と斜行角を検出する手段と、左右反射光検出信号の両者または一方の検出信号の長さ等に基づいて紙幣１６の短手方向の長さを検出する手段と、所定時間当りに検出した左右両反射光検出信号またはその一方の検出信号による検出回数に基づいて紙幣１６の搬送枚数と半券等のエラー紙幣１６ａをそれぞれ検出する手段と、を具備している。
【００５１】
すなわち、繰出センサ２４は左右一対の反射型光センサの発光素子から検出用光が繰出搬送路２３へ投光され、その投光が紙幣１６に照射され、反射された反射光を受光センサにより検出するものであり、その反射光の検出信号と後述する搬送モータ制御センサ４４のパルス信号に基づいて、制御装置Ｃにより各紙幣１６の金種を検出すると共に繰り出された枚数を検出するものである。紙幣１６の金種の検出は、例えば検出した紙幣１６の短手方向の長さとその短手方向の長さに対応した金種とのデータテーブルを参照することにより検出する。あるいは、この反射光の検出信号の出力パターンから金種を検出してもよい。また、左右一対の受光センサにより検出した反射光の検出開始時の時間のずれに基づいて制御装置Ｃにより紙幣１６の斜行の有無とその斜行角を検出することかできる。これら検出結果は制御装置Ｃにより所要の表示装置に表示される。
【００５２】
そして、上段を除く中，下段繰出部７ｂ，７ｃには、それらの各繰出機構２２の背面側にて連結搬送路２５ｂ，２５ｃをそれぞれ縦方向に設けている。下段連結搬送路２５ｃはその一端部（図３では下端部）を下段繰出部７ｃの繰出口２３ｃに連通させる一方、他端部（図３では上端部）を図４に示すように中段繰出部７ｂの繰出口２３ｂに連通させている。
【００５３】
また、中段連結搬送路２５ｂはその図中上端部を上段繰出部７ａの繰出口２３ａに連通させる一方、その図中下端部を中段繰出部７ｂの繰出口２３ｂに連通させている。これにより上中下段繰出部７ａ〜７ｃの各繰出部２３ａ〜２３ｃ同士を中，下段連結搬送路２５ｂ，２５ｃにより上下方向に連結している。
【００５４】
これら連結搬送路２５ｂ，２５ｃは内外一対（図３中左右一対）の搬送ベルト機構２６，２７を上下方向に沿って並設することにより構成されている。これら搬送ベルト機構２６，２７は各上下一対のローラ２６ａと２６ｂ，２７ａと２７ｂとの間の外周に搬送ベルト２６ｃ，２７ｃをそれぞれ巻回している。これら搬送ベルト２６ｃ，２７ｃは、その隣り合う対向面同士を外接させており、この外接面間で紙幣１６を挟持した状態で図３中上から下へ向けて短手方向に搬送させるようになっている。
【００５５】
そして、中，下段繰出部７ｂ，７ｃはその背面側に、背面開閉蓋２８をそれぞれ開閉自在に設け、これら各背面開閉蓋２８の内面上に外側（図３では右側）の搬送ベルト機構２７を立設している。このために、各背面開閉蓋２８を、その図中下端部のピストンピンを中心にして図中上端部を外方へ傾動させると、背面開口２９が開口すると共に、この背面開口２９から外側搬送ベルト機構２７の上端部がそれぞれ外方へ引き出して所要角傾動し得るように構成している。このために、万一、連結搬送路２５ｂ，２５ｃ内で紙幣１６のジャムが発生した場合には、各背面開閉蓋２８を開口させることにより各外側の搬送ベルト機構２７の図中上端部を外方へ傾動させ、内側搬送ベルト機構２６から引き離すことにより、これら内，外搬送ベルト機構２６，２７間でジャムを発生した紙幣１６を除去することができる。
【００５６】
そして、払出部５は、上記下段の繰出部７ｃの下段繰出口２３ｃに連通する紙幣搬送路３１、搬送モータ３２、ゲートフラップユニット３３、リジェクトカセット挿入部３４、払出ポケット３５および払出シャッター開閉機構３６等を内蔵している。
【００５７】
紙幣搬送路３１は、上下方向に配設され、内外一対（図３では左右一対）の搬送ベルト機構３７，３８を図中左右に並設している。これら搬送ベルト機構３７，３８は、上下一対のローラ３７ａと３７ｂ、３８ａと３８ｂの各間に搬送ベルト３７ｃ，３８ｃをそれぞれ上下方向に巻回し、これら搬送ベルト３７ｃ，３８ｃの隣り合う対向面同士を外接しており、この外接面間で紙幣１６を挟持した状態で短手方向に搬送している。
【００５８】
そして、外側の搬送ベルト機構３８は、その上下一対のローラ３８ａ，３８ｂを払出部５の背面開口蓋３０の内面上に立設している。背面開閉蓋３０は上記繰出部７ａ〜７ｃの背面開閉蓋２８と同様に図中上端部を外方へ傾動し得るように構成されている。したがって、この背面開閉蓋３０を外方へ傾動させることにより、外側搬送ベルト機構３８を内側搬送ベルト機構３７から引き離し、これら内，外搬送ベルト機構３７，３８間でジャムを発生させた紙幣１６を除去し、ジャムを解消させることができる。
【００５９】
また、内側搬送ベルト機構３７の下ローラである第１の駆動ローラ３７ｂは、その一側面中心部に、これよりも小径の小ローラ３７ｄを同心状に一体に突設しており、この小ローラ３７ｄと第２の駆動ローラ４０の小ローラ４０ａとの間に駆動ベルト４１を巻回し、第２の駆動ローラ４０をベルト駆動する搬送モータ３２により内側搬送ベルト機構３７の第１の駆動ローラ３７ｂを駆動するようになっている。
【００６０】
また、この搬送モータ３２により上述した２箇所の繰出部７ｂ，７ｃにおける連結搬送路２５ｂ，２５ｃをそれぞれ駆動するようになっている。すなわち、払出部５の内側搬送ベルト機構３７の上ローラ３７ａには図示省略した連結ベルトにより、下段繰出部７ｃの連結搬送路２５ｃにおける内側搬送ベルト機構２６の下ローラ２６ｂに連動自在に連結している。さらに、この下段内側搬送ベルト機構２６の上ローラ２６ａをその上方の中段繰出部７ｂの内側搬送ベルト機構２６の下ローラ２６ｂに図示省略した連結ベルトにより連動自在に連結している。
【００６１】
そして、払出部５の紙幣搬送路３１には、下段繰出部７ｃの繰出口２３ｃの下方にて計数センサ４２を配設している。この計数センサ４２は発光ダイオード等の発光素子４２ａと、その発光を受光する受光センサ４２ｂとを紙幣搬送路３１を介して対向配置することにより構成されており、受光センサ４２ｂにより検出された透過光検出信号を上記制御装置Ｃに与えるようになっている。制御装置Ｃはこの透過光検出信号の箇数に基づいて紙幣１６の枚数を計数する計数手段と、紙幣１６の複数枚重ねの搬送である重送を検出する手段を備えている。
【００６２】
搬送モータ３２は上述したように、中，下段繰出部７ｂ，７ｃの各連結搬送路２５ｂ，２５ｃおよび紙幣搬送路３１のローラ３７ａ〜３８ｂ等の各ローラと、第１，第２の駆動ローラ３７ｂ，４０をそれぞれ回転駆動するものであり、搬送モータ３２の回転軸には円板状のスリットディスク４３を同心状に固着している。スリットディスク４３はその外周部にて板厚方向に貫通する所定形状の複数のスリット４３ａを周方向に所定のピッチで穿設し、このスリット４３ａの表面側と裏面側（図３では紙面の表裏方向）には、発光ダイオード等の発光素子と、その発光を受光する受光センサとを対向配置して搬送モータ制御センサ４４を構成している。この搬送モータ制御装置４４には信号線を介して上記制御装置Ｃを接続している。
【００６３】
制御装置Ｃは、この搬送モータ制御センサ４４により検出されたパルス状の受光検出信号の単位時間当りのパルス数をカウントすることにより搬送モータ３２の回転速度を検出すると共に、紙幣搬送路３１の紙幣搬送速度および搬送距離を検出し、計数センサ４２によりエラー紙幣１６ａとして検出された紙幣１６が紙幣搬送路３１の切換ポイントｃｐに達する迄の時間を算出する手段を備えている。
【００６４】
また制御装置Ｃは、繰出センサ２４と計数センサ４２とにより検出したエラー紙幣１６ａが切換ポイントｃｐに達したときに、紙幣搬送路３１から回収路であるリジェクト搬送路４５側へ振り分けるようにゲートフラップ４６を所定角回動させて切り換えるゲートフラップ切換手段を具備している。
【００６５】
ゲートフラップ４６は例えば平面形状がほぼ三角形をなし、その先細尖端部を紙幣搬送路３１の終端部内に突出させ、紙幣１６の長手方向に延在する１本の回転軸に、その軸方向に所要の間隔を置いて複数枚配設されている。このゲートフラップ４６の回転軸はロータリソレノイドにより回動するように構成されており、ゲートフラップ４６は紙幣搬送路３１の終端部において、この紙幣搬送路３１を、リジェクト搬送路４５側と、エラー紙幣１６ａではない紙幣１６（正券）を搬送する払出搬送路４７側の一方に切り換えるものである。
【００６６】
リジェクト搬送路４５はエラー紙幣１６ａをリジェクトカセット挿入部３４内に排出するために搬送するものであり、このリジェクト搬送路４５は、これを構成する複数個のローラのうち、第１の駆動ローラ３７ｂに巻回された図示しない伝動ベルトにより駆動されるローラ３７ｅ等複数のローラにより駆動される。リジェクト搬送路４５の途中には、このリジェクト搬送路４５側へ搬送されたエラー紙幣１６ａの進入と枚数を検出するためのリジェクトポケット進入センサ４８を設けている。
【００６７】
リジェクトカセット挿入部３４は、その前方（図３では左側方）の払出部５の前面上部に、リジェクト口３４ａを穿設して外部に開口しており、このリジェクト口３４ａから有蓋有底角筒状のリジェクトカセット４９を挿脱させてリジェクトカセット挿入口３４内に着脱自在に装着できるようになっている。リジェクトカセット４９はその挿入内端をほぼ全面的に開口させてリジェクト搬送路４５の開口先端と連通する紙幣引込路４９ａとリジェクトポケット４９ｂとを備えている。紙幣引込路４９ａはリジェクト搬送路４５の終端口に連通する引込口から紙幣１６をリジェクトカセット４９内へ引き込み、リジェクトポケット４９ｂ内へ排出する一対の駆動ローラ４９ｃ，４９ｄとを対向配置している。その一方の駆動ローラ４９ｄはリジェクトカセット４９をリジェクトカセット挿入部３４内へ挿入したときに、リジェクト搬送路４５の終端駆動ローラ４５ａの図示省略のギアの一部と噛み合ってリジェクトカセット４９内へ紙幣を引き込む方向にのみ回転可能のワンウェイギアに構成されている。これはワンウェイ駆動ローラ４９ｄを仮に紙幣引込み方向とは逆方向、すなわち、紙幣１６をリジェクトカセット４９の外部に繰出す方向にも回転可能であるとすると、この駆動ローラ４９ｄを紙幣１６の外部繰出方向へ手動で回転されることにより、リジェクトカセット４９内の紙幣１６を外部へ取り出され、盗まれる可能性が生ずるから、これを防止するためである。
【００６８】
このリジェクトカセット挿入口３４内へのリジェクトカセット４９の挿入ないし装着はリジェクト装着センサ５０により検出される。このリジェクト装着センサ５０はリジェクトカセット４９の外側面に突設したカセットピン５０ａが例えばマイクロスイッチからなるリミットスイッチ５０ｂのレバーをリジェクトカセット４９の挿入により押圧してＯＮさせることにより検出するように構成されている。このリジェクトカセット装着検出（ＯＮ）信号は上記制御装置Ｃに与えられて所要の表示部に表示されるように構成されている。
【００６９】
リジェクトカセット挿入部３４には透光型のリジェクトカセット残留センサ５１を設けている。このリジェクトカセット残留センサ５１はリジェクトポケット４９ｂ内のエラー紙幣１６ａ等、ゲートフラップ４７によりリジェクトされたエラー紙幣１６ａに所要の光を投光する発光ダイオード等の発光素子５１ａをリジェクトカセット挿入部３４の上部内面に設ける一方、この投光またはこの投光がエラー紙幣１６ａを透過した透過光を受光する受光センサ５１ｂをリジェクト挿入部３４の下部内面にて対向配置し、この受光センサ５１ｂにより検出した受光信号を上記制御装置Ｃに与え、リジェクトポケット４９ｂ内に残留している紙幣１６を検出するようになっている。
【００７０】
すなわち、制御装置Ｃはこの受光信号の有無からリジェクトカセット４９内にエラー紙幣１６ａが残留しているか否かを検出する手段と、上記リジェクト進入センサ４８によりカウントされたエラー紙幣１６ａの枚数が所定枚数に達したときには、リジェクトカセット４９のエラー紙幣１６ａの最大収容容量に達したものと判断して所要のアラームを出力するアラーム手段と、を備えている。
【００７１】
一方、払出搬送路４７はエラーではない正しい紙幣１６を払出ポケット３５内に排出するために搬送するものであり、この払出搬送路４７は、これを構成する複数個のローラのうち、第２の駆動ローラ４０に巻回された図示しない伝動ベルトにより駆動されるローラ４０ｂ等複数のローラにより駆動される。この払出搬送路４７の途中には、この払出搬送路４７側へ搬送された紙幣１６の進入と枚数を検出するための払出ポケット進入センサ５２を配設している。
【００７２】
また、払出ポケット３５には透光型の払出ポケット紙幣残留センサ５３を設けている。払出ポケット紙幣残留センサ５３は払出ポケット３５内の紙幣１６に所要の光を投光する発光ダイオード等の発光素子５３ａと、この投光またはこの投光が紙幣１６を透過する透過光を受光する受光センサ５３ｂとを対向配置し、この受光センサ５３ｂにより検出した受光信号を上記制御装置Ｃに与えて払出ポケット３５内に残留している紙幣１６を検出ものである。
【００７３】
すなわち、制御装置Ｃは、この受光信号の有無から紙幣１６が払出ポケット３５内に残留しているか否かを検出する残留紙幣検出手段と、払出ポケット３５内の紙幣１６がユーザ等により全部取り出され、残留紙幣１６が無いと残留紙幣検出手段により判断したときには、払出シャッター開閉機構３６の払出シャッター１１により払出口５ａを閉鎖させる手段と、を備えている。
【００７４】
払出シャッター開閉機構３６は正逆回転自在のシャッター開閉モータ５４、このシャッター開閉モータ５４の回転軸に巻回された伝動ベルト５５を有し、この伝動ベルト５５の両端部を払出シャッター１１の内面の上，下両端部にそれぞれ固着し、伝動ベルト５５の適宜箇所には複数のローラ５６を配設して伝動ベルト５５の充分な長さ、すなわち、払出シャッター１１の充分な開閉行程を確保している。
【００７５】
払出シャッター１１の内面下端部には、その内方へ突出する所要大および所要形状の開閉検出用ドグ１１ａを突設し、払出シャッター１１の開位置と閉位置の内方とに、開検出センサ５７と閉検出センサ５８とをそれぞれ配設している。これら開，閉検出センサ５７，５８は開閉検出用ドグ１１ａの有無を反射光の有無により検出する反射光型の光センサや開閉検出用ドグ１１ａによりオンされるマイクロスイッチ等のリミットスイッチのいずれでもよい。
【００７６】
これら開，閉検出センサ５７，５８の検出信号は上記制御装置Ｃに与えられる。この制御装置Ｃは払出ポケット紙幣残留センサ５３により払出ポケット３５内の紙幣１６がユーザ等により全部取り出されて残留紙幣１６が無い状態を検出したときに、シャッター開閉モータ５４を所定方向に回転させて払出シャッター１１により払出口５ａを閉鎖させ、閉検出センサ５８が払出シャッター１１の閉を検出したときに、シャッター開閉モータ５４の回転を停止させる手段を有する。
【００７７】
また、制御装置Ｃは、払出ポケット３５内に紙幣１６が所定枚数排出された状態を検出したときに、シャッター開閉モータ５４を逆転させて、開検出センサ５７により払出シャッター１１の開を検出するまで回転させて払出口５ａを開口させる手段を有する。
【００７８】
そして、払出口５ａの左右両端部（図３，図４では紙面の表裏方向両端部）には小幅の左右一対のストッパ５９ａ，５９ｂの図中上端部を揺動自在に枢着しており、払出ポケット３５内に排出される紙幣１６が払出口５ａから外部へ飛び出すのを、これらストッパ５９ａ，５９ｂに紙幣１６の長手方向両端部を衝当させることにより、その飛び出しを防止するようになっている。
【００７９】
図５は上記各ホッパーカセット３ａ〜３ｃの各カセットシャッター開閉機構２０の構成をそれぞれ示す側断面図であり、図６（Ａ），（Ｂ），（Ｃ）はその作用を示す要部拡大図である。
【００８０】
これらの図に示すように各カセットシャッター開閉機構２０は、紙幣収容部１５の排紙口１５ｂを開閉する側断面形状がほぼクランク状で紙幣１６の長手方向（図５では紙面の表裏方向）に延在するシャッタープレート６０、このシャッタープレート６０の前端部（図中左端部）に固着されたほぼＬ字状の左右（図５では紙面の表裏方向両側）一対のアーム６１、ほぼ矩形平板状の左右一対のカムプレート６２、各繰出部７ａ〜７ｃ側にて固定された左右一対のプッシュロッド６３を備えている。
【００８１】
各アーム６１は、その図５中水平部の前端部（図中左端部）と後端部とに、短軸のヒンジピン６４とカムピン６５をそれぞれ突設し、このヒンジピン６４を摺動自在に嵌合させるガイド溝６６をカセット本体１２の内側面にて図中両端矢印線で示すホッパーカセット３ａ〜３ｃの挿脱方向に形成し、ヒンジピン６４を図７で示すコイルばね等よりなる戻しばね６４ａによりホッパーカセット３ａ〜３ｃの挿入方向（図５中右側方）へ常時付勢している。
【００８２】
一方、カムプレート６２は上記カムピン６５を摺動自在に嵌合させるほぼ右肩下がりのカム溝６７を板厚方向に貫通する貫通孔として形成している。このカム溝６７の長さはカムピン６５とヒンジピン６４との間隔にほぼ相当する。図５に示すようにカムプレート６２の図５中右端部にはプッシュロッド６３の先細先端部を挿入させ、その押圧力の反力により図５中左側方へ押圧させるロッド挿入部６８を形成している。
【００８３】
また、カムプレート６２は、その図中下端部を、各ホッパーカセット３ａ〜３ｃのカセット本体１２の内底部に形成した摺動溝６９内に摺動自在に嵌合させる一方、カムプレート６２の上端部を図示しないガイドレールに摺動自在に嵌合させ、このガイドレールと摺動溝６９をホッパーカセット３ａ〜３ｃの挿脱方向に沿ってほぼ全長に亘って形成している。すなわち、カムプレート６２の上下端を上下動させないように規制した状態でカムプレート６２をホッパーカセット３ａ〜３ｃの挿脱方向にアーム６１と平行に往復動させるようになっており、このカムプレート６２も図示しないカム用ばねにより常時背面側（図５中右側方）へ押し付けられるように付勢されている。
【００８４】
そして、一対のカムプレート６２の両外側面後端部（図５では右端部）には、ほぼ逆くの字状の左右一対のシャッターロックレバー６２ａをヒンジピン６２ｂにより揺動自在に枢着している。
【００８５】
すなわち、各シャッターロックレバー６２ａはその逆くの字状屈曲部をヒンジピン６２ｂにより各カムプレート６２に枢着する一方、その図５中上端部のロック端６２ｃをシャッタープレート６０のクランク状屈曲部外底面６０ａに当接させ、その図５中下端部をロッド挿入部６８内へ突出させることにより、シャッタープレート６０をロックしている。
【００８６】
このために、仮にシャッター収容室２１の背面開口２１ａからシャッタープレート６０の背面外端６０ｂを図５，６中下方へ押し下げてもシャッターロックレバー６２ａがシャッタープレート６０をロックしているので、このシャッタープレート６０を下方へ押し下げることができない。これにより、このシャッター６０が開放され、紙幣収容部１５の排紙口１５ｂから紙幣１６が外部へ取り出され、盗まれるのを防止することができる。
【００８７】
したがって、図５と図６（Ａ）に示すようにホッパーカセット３ａ〜３ｃを紙幣払出機本体２の各カセット挿入部６ａ〜６ｃ内に漸次挿入して行くと、まずカムプレート６２のロッド挿入部６７内に、左右一対のプッシュロッド６３の先端部がそれぞれ挿入される。
【００８８】
この後、さらに図６（Ａ）に示すように、ホッパーカセット３ａ〜３ｃを戻しばね６４ａの引張力に抗してカセット挿入部６ａ〜６ｃの内側へ漸次深く挿入して行くと、その押圧力の反力により左右一対のプッシュロッド６３がまずカムプレート６２のみを前方（図５中左側方）へ押して前進させて行き、これに伴ってカムプレート６２と共にシャッターロックレバー６２ａも前方へ移動するので、このシャッターロックレバー６２ａのロック端６２ｃがシャッタープレート６０の平坦外底面を摺動しながら漸次前方へ移動して行く。
【００８９】
このカムプレート６２が前方へ移動するに従ってカムピン６５がカム溝６７内を摺動して強制的に下方へ次第に移動させられて行く。このために、シャッタープレート６０がヒンジピン６４を中心にして下方へ徐々に傾動し、やがてロックレバー６２のロックが解除され、排紙口１５ｂに対応するシャッタープレート６０の角部６０ａが垂直方向下方へ若干垂下して排紙口１５ｂが徐々に開口してから全開するまで傾動する。やがて図６（Ｂ）に示すようにカムプレート６２の前端がヒンジピン６４の後面に衝き当る。
【００９０】
ここでさらに、ホッパーカセット３ａ〜３ｃを挿入部６ａ〜６ｃ内に深く挿入して行くと、プッシュロッド６３がカムプレート６２をさらに前方へ押圧し、カムプレート６２の前端がヒンジピン６４の後面をさらに前方へ押し込み、図６（Ｃ）に示すようにヒンジピン６４がガイド溝６６の前端に達するまでシャッタープレート６０を移動させ、この位置でホッパーカセット３ａ〜３ｃがカセット挿入部６ａ〜６ｃ内に装着され、その装着状態が図示省略のカセット装着センサにより検出され、その検出信号が上記制御装置Ｃに与えられ、ホッパーカセット３ａ〜３ｃが挿入部６ａ〜６ｃの所定位置に挿入装着されたことを知らせる。
【００９１】
図７は各ホッパーカセット３ａ〜３ｃの右外側面図、図８は同前面部切欠正面図、図９は同平面図、図１０は図８のＸ−Ｘ線矢視図である。これらの図に示すように各ホッパーカセット３ａ〜３ｃはそのカセットケース本体１２の前面部側の左右外側面に、その高さ方向中間部にて、その前面部の幅方向寸法よりも若干大きい幅を有するほぼコ字状の把手７０の鉤状屈曲端部７０ａ，７０ｂと、左右一対のロックレバー７２ａ，７２ｂとを同一平面上にて左右一対の把手ヒンジピン７１ａ，７１ｂにより回動自在に共締めしている。
【００９２】
そして、図７（Ａ），（Ｂ）に示すようにカセットケース本体１２の左右両外側面には、各把手ヒンジピン７１ａ，７１ｂの近傍にて左右一対のロックばね７３ａ，７３ｂの一端を固定し、これらロックばね７３ａ，７３ｂの自由先端部７３ｃ，７３ｄを各ロックレバー７２ａ，７２ｂの把手ヒンジピン７１ａ，７１ｂよりも先方（図７（Ａ），（Ｂ）では右側方）の先端部に係止させ、常時左右一対のロックピン７４ａ，７４ｂ側へ弾性的に押圧するように構成している。
【００９３】
各ロックピン７４ａ，７４ｂは各カセット挿入部６ａ，６ｂ，６ｃの左右一対の内側面に突設され、これら各ロックピン７４ａ，７４ｂに係脱自在に係合する係合凹部７２ｃ，７２ｄを各ロックレバー７２ａ，７２ｂの自由先端部の図中上面部に形成している。
【００９４】
各ロックレバー７２ａ，７２ｂは、把手ヒンジピン７１ａ，７１ｂにより枢着される枢着部よりも外方（図７では左側方）へ突出するあご７２ｅ，７２ｆを一体に突設している。一方、各把手７０は、把手ヒンジピン７１ａ，７１ｂにより枢着される枢着部近傍の図７中左側面に、ロックレバー７２ａ，７２ｂのあご７２ｅ，７２ｆに挿脱自在に係合する係合段部７０ｃ，７０ｄを形成している。
【００９５】
したがって、図７（Ｂ）に示すように把手７０をカセットケース本体前面１２ｅ上で起立させると、把手７０の左右一対の係合段部７０ｃ，７０ｄが左右一対のロックレバーｆ７２ａ，７２ｂの各あご７２ｅ，７２ｆに係合して図７（Ｂ）中上方へ押し上げる。このために、各ロックレバー７２ａ，７２ｂの各あご７２ｅ，７２ｆの反対側の自由先端部が各ロックばね７３ａ，７３ｂのばね力に抗して図中下方へ回動し、各ロックピン７４ａ，７４ｂと各係合凹部７２ｃ，７２ｄとの係合が外れ、ロックが解除される。
【００９６】
このように、各ロックレバー７２ａ，７２ｂのロックが外れた状態でホッパーカセット３ａ〜３ｃをカセット挿入部６ａ〜６ｃ内に挿入する。
【００９７】
この後、図７（Ａ）に示すように把手７０をカセットケース本体１２の前面１２ｅにて倒伏させると、把手７０の各係合段部７０ｃ，７０ｄとロックレバー７２ａ，７２ｂの各あご７２ｅ，７２ｆとの係合が解除されるので、各ロックレバー７２ａ，７２ｂが各ロックばね７３ａ，７３ｂのばね力により各ロックピン７４ａ，７４ｂ側へ付勢される。このために、各ロックレバー７２ａ，７２ｂの各係合凹部７２ｃ，７２ｄ内に各ロックピン７４ａ，７４ｂに係合されてロックされる。したがって、ホッパーカセット３ａ〜３ｃのカセット挿入部６ａ〜６ｃからの外方へ引抜きを規制するようになっている。
【００９８】
これにより、ホッパーカセット３ａ〜３ｃをカセット挿入部６ａ〜６ｃから外方へ引き抜くときは、把手７０を握ってカセットケース本体１２の前面１２ｅから起立させる。すると、上述したように各ロックレバー７２ａ，７２ｂの自由先端部が把手ヒンジピン７１ａ，７１ｂ回りに図７中右回りに回動し、ロックピン７４ａ，７４ｂが各ロックレバー７２ａ，７２ｂの係止凹部７２ｃ，７２ｄから外れるので、外方へ引き抜くことができる。
【００９９】
図８〜図１０に示すように上記各ホッパーカセット３ａ〜３ｃの紙幣押え１７は紙幣１６列の前面を押える横長平板状の前面押え板７５、この前面押え板７５の外側面（前面）の長手方向中間部にて固着された押え板支持装置７６、紙幣１６の長手方向両端部をガイドするほぼＬ状板の左右一対の側面押えガイド７７，７８を備えている。
【０１００】
押え板支持装置７６は、前面押え板７５を若干の首振可能かつ紙幣収容部１５の底部１５ａ上を摺動可能に支持するものであり、断面コ字状のブラケット７６ａのコ字状上下対向部を押えヒンジピン７６ｂにより図８中上下方向に貫通させ、押えヒンジピン７６ｂをその中心軸回りに回転自在に支持させている。
【０１０１】
このヒンジピン７６ｂはその上部外端部を中間軸部よりも大径の大径端部７６ｃに形成する一方、下端部を、紙幣収容部１５の底部１５ａの幅方向中間部にてその前後方向に穿設されたスリット１５ｃを板厚方向に貫通させてから図示しない矩形片状の摺動子の中間部に固着している。また、前面押え板７５は、その下端部を摺動板７９の長手方向中央部に固着し、前面押え板７５が紙幣収容部１５の底部１５ａ上を摺動するように構成している。摺動板７９の長手方向両端部は、左右一対の側面押えガイド７７，７８の板厚方向に貫通する挿通孔を挿通してその外側方へそれぞれ延在してから図９中左右一対の引張ばね７６ｅ，７６ｆの各一端にそれぞれ係止されている。各引張りばね７６ｅ，７６ｆの他端部はカセットケース本体１２の背面側へ延伸してから左右一対のローラ７９ａ，７９ｂに巻回されて、前方側へ転向し、カセットケース本体前面１２ｄの内壁面に固着されており、前面押え板７５を常時背面側へ引張るように付勢している。
【０１０２】
図８に示すように押えヒンジピン７６ｂはそのコ字状ブラケット７６ａ内の上部と下部において、上下一対のコイルばねよりなる戻しばね７６ｇ，７６ｈを装着しており、押えヒンジピン７６ａをその中心軸回り正逆方向に常時回動し得るようにほぼ均等の付勢力で付勢しており、前面押え板７５が常時紙幣１６に正対した状態で後方へ押えるようになっている。
【０１０３】
また、前面押え板支持装置７６は押えヒンジピン７６ｂに、先端部を鉤状に形成した係止爪８０を揺動自在に装着する一方、この係止爪８０に係脱自在に係止する係止孔を穿設した係止プレート８１をカセットケース本体１２の前面１２ｅ内方にて立設し、前面押え板７５を係止プレート８１に当接したときに、この係止爪８０が係止プレート８１の係止孔内に係入して係止される一方、ロック解除レバー８２を押えヒンジピン７６ｂ回りに回動させることにより、その係止（ロック）を解除し得るようになっている。
【０１０４】
一対の側面押えガイド７７，７８は断面形状がほぼＬ字状をなし、そのＬ字状屈曲下端部７７ａ，７８ａをねじ止めにより固定し、紙幣１６が前後方向に摺動する際に紙幣１６の長手方向両端をガイドするものであり、そのねじ止め位置は左右一対の長穴（図９参照）８２ａ，８２ｂにより紙幣１６の長手方向長さに応じて適宜調節することができるように複数箇所設けられている。
【０１０５】
図１１は紙幣払出機１の電気的構成を示す機能ブロック図である。制御装置Ｃは、例えばマイクロプロセッサー等により構成され、機能上はセンサ駆動部Ｃａ、モータ駆動部Ｃｂ、制御部Ｃｃ、電源部Ｃｄ、外部通信部Ｃｅ、操作／表示部Ｃｆとを有し、電源部Ｃｄは両替機等の本体装置Ａの電源供給部Ａａから所要の電力を受電するものである。また、外部通信部Ｃｅは本体装置ＡのコントローラＡｂとの間で制御信号等を双方向で通信する機能を備えている。
【０１０６】
センサ駆動部Ｃａは第１，第２，第３金種の紙幣ニアエンドセンサ１９（１９ａ，１９ｂ，１９ｃ）および同繰出センサ２４（２４ａ，２４ｂ，２４ｃ）、計数センサ４２、搬送モータ制御センサ４４、リジェクトポケット進入センサ４８、リジェクトカセット残留センサ５０、リジェクトカセット装着センサ５１、払出ポケット進入センサ５２、払出ポケット紙幣残留センサ５３、払出シャッター１１の開検出センサ５７および同閉検出センサ５８と図示しない信号線を介して電気的に接続され、これら各センサをそれらの機能に応じて駆動する一方、これらセンサにより検出された検出信号を受け、これらセンサの各機能に応じた種々の制御手段を制御部Ｃｃに設けている。
【０１０７】
すなわち、紙幣収容部１５内に列状に収容された紙幣１６が減少してその紙幣１６の列が所定残量までに減少したときに、これまでに紙幣列により遮光されていた検出用投光を制御部Ｃｃは上述したように第１，第２，第３金種（例えば千円札、五千円札、一万円札）のニアエンドセンサ１９（１９ａ〜１９ｃ）により検出し、この検出信号に基づいて各ホッパーカセット３ａ〜３ｃの紙幣収容部１５内に収容されている紙幣１６の残留枚数が所定数に減少したことを検出し判断する手段を備えている。
【０１０８】
各ホッパーカセット３ａ〜３ｃ内に収容される紙幣１６の金種は、これらホッパーカセット３ａ〜３ｃが挿入装着されるカセット挿入部６ａ〜６ｃの位置によって予め適宜設定されており、その設定は操作／表示部Ｃｆでの操作部の操作により設定され、これら金種の残量枚数は表示部Ｃｆに数値等により表示される。
【０１０９】
また、制御部Ｃｃは、上述したように第１，第２，第３金種の各繰出センサ２４ａ〜２４ｃにより検出された左右一対の検出信号を、予め記録されている紙幣１６の種々の斜行や斜行角と左右一対の検出信号とを対応させたデータテーブルまたは参照パターンとの比較や参照により繰出搬送路２３を搬送している紙幣１６の斜行や斜行角を検出する手段、紙幣１６の短手方向の長さを検出する手段、紙幣１６の搬送枚数を検出する手段、紙幣１６の短手方向長さ検出手段により検出した紙幣１６の短手方向長さを、予め記憶している正しい短手方向長さ等の紙幣１６の寸法と比較して所定の長さを有しない場合には、半券等のエラー紙幣１６であると判断するエラー紙幣１６の検出手段と、をそれぞれ金種毎に具備している。なお、各繰出センサ２４ａ〜２４ｃと制御部Ｃｃには、紙幣１６の短手方向の長さ、または紙幣１６の磁気パターンないし光像パターン等から紙幣１６の偽券をエラー紙幣１６ａとして検出する偽券検出手段を設けてもよい。
【０１１０】
さらに、制御部Ｃｃは計数センサ４２により紙幣１６を透過した透過光の濃度（光量）を検出する透過光検出信号を、予め記録されている紙幣１６の１枚分の透過光濃度（光量）と比較し、この紙幣１６の１枚に相当する透過光検出信号の個数をカウントすることにより紙幣１６の搬送枚数を計数する一方、紙幣１６の１枚分の透過光濃度（光量）よりも薄い（光量が少ない）透過光検出信号を受信したときに紙幣１６の重送を検出する手段を備えている。
【０１１１】
制御部Ｃｃは搬送モータ制御センサ４４により検出されたパルス状の検出信号の単位時間当りのパルス数をカウントすることにより搬送モータ３２の回転速度を検出する手段、この回転速度検出手段により検出された搬送モータ３２の回転速度を、予め設定した設定速度に制御するモータ駆動部Ｃｂ、エラー紙幣１６ａがゲートフラッパ４６の切換ポイントＣｐに達するまでの時間を算出する手段を備えている。
【０１１２】
制御部Ｃｃは、リジェクトカセット装置センサ５０からの検出信号を受信したときに、リジェクトカセット４９の装着を検出する一方、この検出信号を受信していないときに、リジェクトカセット４９がリジェクトポケット４９ｂにまだ装着されていないという状態を検出する手段を備えている。
【０１１３】
制御部Ｃｃは、リジェクトカセット装着センサ５０からの検出信号を受信したときに、リジェクトカセット４９の装着を検出する一方、この検出信号を受信していないときに、リジェクトカセット４９がリジェクトポケット４９ｂにまだ装着されていないという状態を検出する手段を備えている。
【０１１４】
制御部Ｃｃは、リジェクトカセット残留センサ５１により検出された検出信号を受信したときには、リジェクトカセット４９内に紙幣１６が残留していない状態を検出する一方、その検出信号を受信しているときには、まだリジェクトカセット４９内に紙幣１６が残留しているという状態を検出する手段を備えている。
【０１１５】
制御部Ｃｃは、払出ポケット進入センサ５２により検出された検出信号に基づいて払出搬送路４７側へ搬送された紙幣１６の進入と枚数を検出する手段を備えている。
【０１１６】
制御部Ｃｃは、払出ポケット紙幣残留センサ５３により検出した検出信号を受信したときに、払出ポケット３５内に紙幣１６は残留していない状態を検出する一方、その検出信号を受信していないときには払出ポケット３内に紙幣１６は残留していないという状態を検出する手段を備えている。
【０１１７】
制御部Ｃｃは、払出シャッター１１の開検出センサ５７と閉検出センサ５８によりそれぞれ検出された開検出信号と閉検出信号を受信したときに、払出シャッター１１の開放と閉鎖をそれぞれ検出し、表示部Ｃｆに表示する手段と、払出ポケット紙幣残留センサ５３により払出ポケット３５内に紙幣１６が残留していない状態を検出したときに払出シャッター１１を閉鎖するようにシャッター開閉モータ５４の回転方向をモータ駆動部Ｃｂを介して制御する手段と、を備えている。
【０１１８】
制御部Ｃｃは、繰出モータである第１，第２，第３金種のパルスモータ２２ｂ（２２ｂ１〜２２ｂ３）の回転速度を、操作部Ｃｆにより設定された速度にモータ駆動部Ｃｂを介して制御する手段を備えている。
【０１１９】
そして、制御部Ｃｃは各繰出センサ２４ａ〜２４ｃにより検出したエラー紙幣１６ａが切換ポイントＣｐに達するまでの時間の経過を検出したときに、モータ駆動部Ｃｂを介してゲートフラップ４６のロータリーソレノイドを駆動してエラー紙幣１６ａをリジェクト搬送路４５側へ切り換えさせる手段を有する。
【０１２０】
次に、このように構成された紙幣払出機１の作用を説明する。
【０１２１】
まず、経理部等所要の場所において、各ホッパーカセット３ａ〜３ｃの各上蓋１３を開け、その紙幣収容部１５内に、所要の金種、例えば千円札、五千円札、一万円札の３金種の所要枚数をそれぞれ収容する。各紙幣収容部１５内に収容された各紙幣１６の列前面は紙幣押え１７により後方へ押えるように弾性的に押えられ、紙幣１６の長手方向両端は左右一対の側面押えガイド７７，７８により摺動自在に支持かつガイドされる。この後、上蓋１３を閉じ、図３に示すようにシリンダー錠１４のキー穴にキー１４ａを差し込み、回動することにより錠ドグ１４ｂを上蓋ドグ１３ａに係止させて施錠することができる。これにより、ホッパーカセット３ａ〜３ｃ内の紙幣１６の盗難を防止できる。
【０１２２】
これらホッパーカセット３ａ〜３ｃをその把手７０を握る等により紙幣払出機本体２の設置場所に運び、把手７０をホッパーカセット３ａ〜３ｃの前面１２ｅから起立させた状態でホッパーカセット３ａ〜３ｃの左右一対の側面ガイドピン１２ｄをカセット挿入部６ａ〜６ｃの左右一対の側面ガイドレール４ａに嵌合させてこのカセット挿入部６ａ〜６ｃ内の奥に挿入して行く。
【０１２３】
すると、図５に示すようにカセットシャッター開閉機構２０のカムプレート６２のロッド挿入部６８内に、各紙幣繰出部７ａ〜７ｃに固定された左右一対のプッシュロッド６３の先端部が挿入される。
【０１２４】
この後、さらにホッパーカセット３ａ〜３ｃをカセット挿入部６ａ〜６ｃ内の奥に挿入して行くと、その挿入反力により図６に示すように各プッシュロッド６３がカセットシャッター開閉機構２０の左右一対のカムプレート６２とロックレバー６２ａとをさらに前方側（図６中左側方）へ押圧する。このために、図６（Ａ）に示すようにシャッターロックレバー６２ａのロック端６２がシャッタープレート６０の外底面６０ａを前方へ向けて摺動してシャッタープレート６０のロックを解除する一方、カムプレート６２は上下一対のガイド溝により上下端部の上下方向への移動が規制されつつ、さらに前方へ摺動し、カムプレート６２の前端がヒンジピン６４の後端に当接するまで前方へ移動する。
【０１２５】
これにより、カムプレート６２のカム溝６７内に摺動自在に嵌合しているカムピン６５がこのカム溝６７により強制的に案内されてカム溝６７内を摺動し、その下端へ移動する。
【０１２６】
このために、図６（Ｂ）に示すようにシャッタープレート６０の角部６０ａが紙幣収容部１５の排紙口１５ｂから垂直方向下方へ若干移動してからシャッタープレート６０のほぼ全体がヒンジピン６４の中心軸回りに図中右下方へ傾動する。
【０１２７】
この後さらに、図６（Ｃ）に示すようにホッパーカセット３ａ〜３ｃをカセット挿入部６ａ〜６ｃの奥へ挿入すると、プッシュロッド６３によりカムプレート６２をさらに前方へ押圧するので、このカムプレート６２の前端がヒンジピン６４をさらに前方へ押圧する。
【０１２８】
このために、カセットシャッター開閉機構２０の全体が紙幣収容部１５の底部１５ａの下方のシャッター収容室２１内に収容されると共に、排紙口１５ｂが開口し、この排紙口１５ｂから紙幣１６が垂直方向下方へ落下し、排紙口１５ｂの下方に位置する各紙幣繰出部７ａ〜７ｃの紙幣繰出し機構２２の繰出しドラム２２ａの外面に紙幣１６が接面する。
【０１２９】
これにより、ホッパーカセット３ａ〜３ｃは紙幣払出機本体２のカセット挿入部６ａ〜６ｃ内の所定位置に装着された状態になる。このとき、図７に示すように把手７０の左右一対のロックレバー７２ａ，７２ｂの係止凹部７２ｃ，７２ｄ内に、カセット挿入部６ａ〜６ｃの左右一対のロックピン７４ａ，７４ｂが係入されてロックされる。このロック状態で把手７０をホッパーカセット３ａ〜３ｃの前面側へ倒伏すると、ロック状態が保持され、ホッパーカセット３ａ〜３ｃをカセット挿入部６ａ〜６ｃから外方へ引き抜くことができない。このために、ホッパーカセット３ａ〜３ｃの盗難を防止できる。
【０１３０】
なお、各ホッパーカセット３ａ〜３ｃを各カセット挿入部６ａから引き抜くときは、図７（Ｂ）に示すように把手７０を水平状に起立させる。すると、把手７０の係合段部７０ｃ，７０ｄがロックレバー７２ａ，７２ｂのあご７２ｅ，７２ｆに衝当して押し上げる。このために、ロックレバー７２ａ，７２ｂの内端部がヒンジピン７１ａ，７１ｂを支点として図中下方へ回動して各ロックピン７４ａ，７４ｂと係合段部７２ｃ，７２ｄとの係合が外れ、ロックが解除される。これにより、各ホッパーカセット３ａ〜３ｃを各カセット挿入部６ａ〜６ｃから引き抜くことができる。
【０１３１】
そうしてホッパーカセット３ａ〜３ｃがカセット挿入部６ａ〜６ｃ内の所定位置に挿入された後に、この紙幣払出機１が装着された図示しない両替機等の本体装置からの制御信号を制御装置Ｃが受け取ると、この制御装置Ｃから本体装置の制御信号に応じた所要の金種を所要の枚数払出す制御信号が出力される。
【０１３２】
この制御信号は、その指示に該当する金種の紙幣１６を収容している所要のホッパーカセット３ａ〜３ｃのいずれかのパルスモータ２２ｂに、紙幣１６の払出指示枚数に相当するパルス数で与えられる。
【０１３３】
これにより、パルスモータ２２ｂが制御信号のパルス数相当分回動するので、繰出ドラム２２ａが回転し、紙幣収容部１５の排紙口１５ｂから所要枚数の紙幣１６が繰出搬送路２３へ繰り出される。
【０１３４】
こうして繰出搬送路２３へ繰り出された所要枚数の紙幣１６の枚数は繰出センサ２４からの検出信号に基づいて制御装置Ｃによりカウントされる。また、制御装置Ｃは繰出センサ２４からの検出信号に基づいて紙幣１６の短手方向の長さ、斜行ないし斜行角、半券を検出し、斜行角が所定角を超えて搬送される紙幣１６や、半券等の寸法不足および制御信号により指示された金種を相違する異金種の紙幣１６はエラー紙幣１６ａとして判断される。
【０１３５】
こうして繰出搬送路２３を搬送された紙幣１６は繰出口２３ａ〜２３ｃから払出部５の紙幣搬送路３１へ移送され、その途中計数センサ４２により紙幣１６の２枚重ね等の重送の有無と枚数が検出され、重送の紙幣１６はエラー紙幣１６ａとして判断され、このエラー紙幣１６ａが紙幣搬送路３１の切換点ｃｐに達したときに、ゲートフラップ４６の切換（振分け）操作によりリジェクト搬送路４５側へ振り分けられ、正しい紙幣１６はそのまま払出搬送路４７側へ搬送される。
【０１３６】
リジェクト搬送路４５側へ振り分けられたエラー紙幣１６ａはリジェクトポケット進入センサ４８により枚数がカウントされてからリジェクトカセット４９内の紙幣引込路４９ａにより引き込まれてリジェクトポケット４９ｂ内へ排出され、集積される。このリジェクトポケット４９ｂ内に残留するエラー紙幣１６ａはリジェクトカセット残留センサ５１により検出される。
【０１３７】
なお、払出部５のリジェクトカセット挿入部３４内の所定位置へのリジェクトカセット４９の挿入はリジェクトカセット装着センサ５０により検出される。
【０１３８】
一方、払出搬送路４７側へ振り分けられた正しい紙幣１６は払出ポケット進入センサ５２により枚数がカウントされてから払出ポケット３５内へ排出され、集積される。この払出ポケット３５内へ紙幣１６が排出されるときに紙幣１６が払出口５ａから外部へ飛び出すのを左右一対のストッパ５９ａ，５９ｂに当てることにより防止することができる。
【０１３９】
この払出ポケット３５内に残留する紙幣１６は払出ポケット紙幣残留センサ５３により検出されなかったときは、制御装置Ｃからシャッター開閉モータ５４へ与える制御信号によりシャッター開閉モータ５４を所定方向へ所定回数回転させることにより払出シャッター１１を閉じる。一方、残留紙幣１６が検出されたときは、シャッター開閉モータ５４を逆転させて払出シャッター１１を開放させ、リジェクトカセット口３４ａを開口させる。この払出シャッター１１の開閉は開，閉検出センサ５７，５８により検出することができる。
【０１４０】
したがって、この紙幣払出機１によれば、紙幣１６を収容する紙幣収容部１５を、ホッパーカセット３ａ〜３ｃ内に形成し、紙幣払出機本体２とは別体のカセット式に構成したので、紙幣１６の盗難等に対する安全性を向上させることができる。
【０１４１】
しかも、ホッパーカセット３ａ〜３ｃには繰出機構２２や連結搬送路２５ａ〜２５ｃを内蔵せずに、紙幣払出機本体２の繰出部７ａ〜７ｃ側に設置したので、ホッパーカセット３ａ〜３ｃの構成の簡単化ないし小型軽量化を図ることができる。
【０１４２】
さらにホッパーカセット３ａ〜３ｃの開閉自在の上蓋１３には、小型シリンダー錠１４によりカセット本体１２に施錠できるので、ホッパーカセット３ａ〜３ｃ内に収容される紙幣１６の安全性を向上させることができる。
【０１４３】
また、ホッパーカセット３ａ〜３ｃを紙幣払出機本体２のカセット挿入部７ａ〜７ｃ内の所定位置に挿入装着すると、把手７０の一対のロックレバー７２ａ，７２ｂによりカセット挿入部７ａ〜７ｃ、すなわち紙幣払出機本体２の一対のロックピン７４ａ，７４ｂがロックされるので、ホッパーカセット３ａ〜３ｃのカセット挿入部７ａ〜７ｃからの外部への引き出しを防止できるので、さらなる安全性の向上を図ることができる。
【０１４４】
さらに、ホッパーカセット３ａ〜３ｃの紙幣収容部１５に、その紙幣１６の残量を検出し、表示部に表示する紙幣ニアエンドセンサ１９を設けたので、紙幣収容部１５内の紙幣収容量の不足を防止し、適切なタイミングで紙幣１６を紙幣収容部１５内に補充することができる。
【０１４５】
そして、各繰出部７ａ〜７ｃには、連結搬送路２５ｂ，２５ｃをそれぞれ配設しているので、これら連結搬送路２５ｂ，２５ｃを介して指定金種の紙幣１６を払出部５の紙幣搬送路３１まで搬送することができる。
【０１４６】
また、各連結搬送路２５ｂ，２５ｃの片側を傾動可能に構成したので、これら連結搬送路２５ｂ，２５ｃの片側を傾動させることにより、ジャムを発生させた紙幣１６等を除去することができるので、そのジャムを容易に解消し、原状に修復することができる。
【０１４７】
また、紙幣１６の斜行や半券、あるいは指定金種以外の紙幣１６をエラー紙幣１６ａとしてリジェクトカセット４９側へ搬送集積し、払出ポケット３５内へは搬送しないので、エラー紙幣１６ａをユーザに払い出すことを未然に防止することができる。しかも、このエラー紙幣１６ａの検出と所定紙幣１６の枚数のカウントは繰出センサ２４と計数センサ４２とにより２重に行なうので、その検出精度を向上させることができる。
【０１４８】
さらに、エラー紙幣１６ａを収容するリジェクトポケット４９ｂを着脱自在のリジェクトカセット４９内に搬送し集積するので、このリジェクトポケット４９ｂを紙幣払出機本体２に配設する場合に比してエラー紙幣１６ａを簡単かつ安全に一箇所で集中的に一元管理することができるうえに、リジェクトカセット４９の紙幣引込路４９ａの駆動ローラ４９ｄを、紙幣１６を外部へ繰出す方向には回転しないワンウェイクラッチに構成したので、駆動ローラ４９ｄを、紙幣１６を外部へ繰出す方向へ回転させることにより外部へ取り出すのを防止することができ、安全性を向上させることができる。
【０１４９】
また、リジェクトカセット４９を紙幣払出機本体２のリジェクトカセット挿入部３４内への所定位置内に挿入装着していない場合には、アラームが出力されるので、リジェクトカセット４９のリジェクトカセット挿入部３４内への挿入装着のし忘れを防止できる。
【０１５０】
さらに、払出部５の紙幣搬送路３１の片側を外方へ傾動可能に構成したので、万一この紙幣搬送路３１内で紙幣１６等のジャムが発生した場合でも、その紙幣搬送路３１の片側を外方へ傾動させてジャムを発生させた紙幣１６等を除去することにより、そのジャムを簡単かつ迅速に解消させ、簡単かつ迅速に原状に回復させることができる。
【０１５１】
これとほぼ同様に、払出部５のゲートフラップユニット３３を所定方向へ傾動できるので、このゲートフラップ４６やリジェクト搬送路４５等で紙幣１６等のジャムが発生した場合でも、そのジャムを簡単かつ迅速に解消させることができる。
【０１５２】
なお、本発明は図１に示すように払出部５をホッパーカセット３ａ〜３ｃのカセット挿入部６ａ〜６ｃの下方に配設した場合について説明したが、本発明はこれに限定されるものではなく、払出部５をカセット挿入部６ａ〜６ｃの上方に配設してもよく、この場合、各カセット挿入部６ａ〜６ｃの連結搬送路２５ａ〜２５ｃは紙幣１６を下方から上方へ順次搬送し得るように構成すればよく、その変更は容易に行なうことができる。また、両替機等の本体装置に払出用のシャッター等を設けた場合は、上記払出シャッター１１は省略してもよい。また両替機等の本体に紙幣受けを設け、直接、紙幣１６を紙幣受けに投下する場合は、上記シャッター１１と払出ポケット３５を省略し、代りに排出用の搬送ローラ等を配置してもよい。
【０１５３】
図１２は本発明の第２実施形態に係る紙幣払出機１Ａの概略側断面図であり、これは上記払出部５の払出シャッター１１、払出ポケット３５、シャッター開閉モータ５４、伝動ベルト５５、開，閉検出センサ５７，５８、飛び出し防止用ストッパ５９ａ，５９ｂを削除した点に主な特徴を有する。
【０１５４】
すなわち、この第２の実施形態に係る紙幣払出機１Ａは上記払出ポケット３５に相当する払出ポケットを両替機等本体装置（図示省略）側に配設されている場合に、この本体装置に組み込む場合のために構成されている。
【０１５５】
そして、払出ポケット３５の削除跡には、横置きの第２の払出搬送路８３を配設している。この横置きの第２の払出搬送路８３はその紙幣１６の搬入口（図１２中右端）を上記払出搬送路４７の搬出口に連通させる一方、図１２中左端の紙幣１６の搬出口を払出口５ａの内面近傍まで延伸させ、払出口５ａの外側前方（図１２中左側方）にある本体装置の払出ポケット内へ搬送するようになっている。
【０１５６】
この第２の払出搬送路８３は上下一対のベルト搬送機構８４，８５を上下方向に近接させて対向配置している。これら上下一対のベルト搬送機構８４，８５の一方は、その他端を支点にして回動し得るように構成してもよい。
【０１５７】
図１３は本発明の第３の実施形態に係る紙幣払出機１Ｂの概略側断面図であり、これは上記第１実施形態に係る紙幣払出機１の払出部５を本体ケース４の上端部に配設し、例えば３金種用のホッパーカセット３ａ〜３ｃの紙幣収容部１５内の紙幣１６を図１３中上方の払出部５側へ搬送するように構成した点に特徴がある。
【０１５８】
すなわち、各繰出部７ａ〜７ｃに連結搬送路２５ａ，２５ｂ，２５ｃをそれぞれ設け、これら連結搬送路２５ａ〜２５ｃ同士を連通させると共に、図１３中上方の払出部５側へ紙幣１６を搬送するように構成している。また、払出部５は、その下底部に紙幣１６の搬入口を設け、この搬入口を上記上段連結搬送路２５ａの搬出口に連通させている。これら以外の構成は第１の実施形態とほぼ同様むであるので、その重複した説明は省略する。
【０１５９】
図１４は本発明の第４実施形態に係る紙幣払出機１Ｃの概略側断面図であり、これは図１３で示す第３の実施形態に係る紙幣払出機１Ｂの払出シャッター１１を、図１２で示す第２の実施形態に係る紙幣払出機１Ｂの払出シャッター１１の削除と同様の趣旨により削除した点に特徴がある。
【０１６０】
なお、上記各実施形態では、ホッパーカセット３ａ〜３ｃを３台設けると共に、カセット挿入部６ａ〜６ｃを３箇所設け、３金種用に対応した紙幣払出機１〜１Ｃについて説明したが、本発明はこれに限定されるものではなく、これらホッパーカセット３ａ〜３ｃとカセット挿入部６ａ〜６ｃは金種数に対応して配設すればよい。例えば金種が１，２，４，５，６金種であるときには、ホッパーカセット３ａ〜３ｃとカセット挿入部６ａ〜６ｃも、１，２，４，５，６個ずつ設ける。しかし、１金種用に複数のホッパーカセット３ａ〜３ｃとカセット挿入部６ａ〜６ｃを使用してもよく、さらに、７金種以上設けてもよい。
【０１６１】
【発明の効果】
以上説明したように本発明は、紙幣を収容する紙幣収容部を、ホッパーカセット内に形成し、紙幣払出機本体とは別体のカセット式に構成したので、紙幣の盗難等に対する安全性を向上させることができる。
【０１６２】
しかも、ホッパーカセットには繰出機構や連結搬送路を内蔵せずに、紙幣払出機本体の繰出部側に設置したので、ホッパーカセットの構成の簡単化ないし小型軽量化を図ることができる。
【図面の簡単な説明】
【図１】本発明の第１の実施形態の外観正面図。
【図２】図１の側面図。
【図３】図１で示す払出部とその直上の下段ホッパーカセットの構成を示す概略側断面図。
【図４】図３で示す払出部と下段ホッパーカセットとを主に拡大して示す概略側断面図。
【図５】図１等で示すホッパーカセットをカセット挿入部内に挿入開始した状態を拡大して示す概略側断面図。
【図６】（Ａ）は図１等で示すホッパーカセットをカセット挿入部内への挿入開始状態を示す概略側断面図、（Ｂ）は同ホッパーカセットをカセット挿入部の中間部まで挿入した状態を示す概略側断面図、（Ｃ）は同ホッパーカセットをカセット挿入部内の所定位置まで挿入した状態を示す概略側断面図。
【図７】（Ａ）は図１等で示すホッパーカセットのロックレバーがカセット挿入部のロックピンに係合してロックした状態を示す概略側面図、（Ｂ）は同ロック状態が解除された状態を示す概略側面図。
【図８】図１等で示すホッパーカセットの前面を省略して示す正面図。
【図９】図１等で示すホッパーカセットの平面図。
【図１０】図９のＸ−Ｘ線断面図。
【図１１】図１〜図１０で示す第１の実施形態に係る紙幣払出機の電気的構成を示す機能ブロック図。
【図１２】本発明の第２の実施形態に係る紙幣払出機の概略側断面図。
【図１３】本発明の第３の実施形態に係る紙幣払出機の概略側断面図。
【図１４】本発明の第４の実施形態に係る紙幣払出機の概略側断面図。
【符号の説明】
１　紙幣払出機
２　紙幣払出機本体
３ａ，３ｂ，３ｃ　ホッパーカセット
４　本体ケース
４ａ　ガイドレール
５　払出部
５ａ　払出口
６ａ，６ｂ，６ｃ　カセット挿入部
７ａ，７ｂ，７ｃ　繰出部
８　挿入部開口
９ａ，９ｂ　誤挿入防止用ブロック
１０　誤挿入防止用だぼ
１１　払出シャッター
１１ａ　開閉検出用ドグ
１２　カセットケース本体
１２ａ　カセットケース本体の底部
１２ｂ，１２ｃ　カセットケース本体の一対の側壁
１２ｄ　ガイドピン
１２ｅ　カセットケースの前面
１３　上蓋
１３ａ　上蓋のヒンジピン
１３ｂ　上蓋ドグ
１４　シリンダー錠
１４ａ　シリンダー錠のキー
１４ｂ　錠ドグ
１５　紙幣収容部
１５ａ　紙幣収容部の底部
１５ｂ　排紙口
１５ｃ　スリット
１６　紙幣
１６ａ　エラー紙幣
１７　紙幣押え
１８ａ，１８ｂ　左右一対の取付耳
１９　紙幣ニアエンドセンサ
２０　カセットシャッター開閉機構
２１　シャッター収容室
２２　紙幣繰出し機構
２２ａ　繰出ドラム
２２ｂ　パルスモータ
２２ｃ　ストップローラ
２２ｄ　従動ローラ
２２ｅ　駆動ベルト
２３　繰出搬送路
２３ａ，２３ｂ，２３ｃ　上，中，下段の繰出口
２３ｅ　繰出搬送路終端部
２４　繰出センサ
２５ａ，２５ｂ，２５ｃ　連結搬送路
２６，２７　連結搬送路の左右一対の搬送ベルト機構
２８ａ，２８ｂ　上下一対のローラ
２９　フレーム
３１　紙幣搬送路
３２　搬送モータ
３３　ゲートフラップユニット
３４　リジェクトカセット挿入部
３４ａ　リジェクトカセット挿入口
３５　払出ポケット
３６　払出シャッター開閉機構
３７，３８　搬送ベルト機構
３７ｂ　第１の駆動ローラ
３９　払出部の背面開口
４０　第２払出部の背面開口
４２　計数センサ
４３　スリットディスク
４３ａ　スリット
４４　搬送モータ制御センサ
４５　リジェクト搬送路
４５ａ　終端駆動ローラ
４６　ゲートフラップ
４７　払出搬送路
４８　リジェクトポケット進入センサ
４９　リジェクトカセット
４９ａ　紙幣引込路
４９ｂ　リジェクトポケット
５０　リジェクト装着センサ
５１　リジェクトカセット残留センサ
５２　払出ポケット進入センサ
５３　払出ポケット紙幣残留センサ
５４　シャッター開閉モータ
５５　伝動ベルト
５７　開検出センサ
５８　閉検出センサ
５９ａ，５９ｂ　左右一対のストッパ
６０　シャッタープレート
６１　アーム
６２　カムプレート
６３　プッシュロッド
６４　ヒンジピン
６５　カムピン
６６　ガイド溝
６７　カム溝
６８　ロッド挿入部
６９　摺動溝
７０　把手
７１ａ，７１ｂ　左右一対の把手ヒンジピン
７２ａ，７２ｂ　ロックレバー
７２ｃ，７２ｄ　係止凹部
７３ａ，７３ｂ　戻しばね
７４ａ，７４ｂ　一対のロックピン
７５　前面押え板
７６　前面押え板支持装置
７６ａ　ブラケット
７６ｂ　押えヒンジピン
７６ｃ　大径端部
７６ｄ　摺動板
７６ｅ，７６ｆ　一対の引張ばね
７６ｇ，７６ｈ　一対の戻しばね
７７，７８　左右一対の側面押えガイド
８２　ロック解除レバー
８３　第２の払出搬送路
【図１】
2004038493.tif 000003
【図２】
2004038493.tif 000004
【図３】
2004038493.tif 000005
【図４】
2004038493.tif 000006
【図５】
2004038493.tif 000007
【図６】
2004038493.tif 000008
【図７】
2004038493.tif 000009
【図８】
2004038493.tif 000010
【図９】
2004038493.tif 000011
【図１０】
2004038493.tif 000012
【図１１】
2004038493.tif 000013
【図１２】
2004038493.tif 000014
【図１３】
2004038493.tif 000015
【図１４】
2004038493.tif 000016